(57)【要約】【課題】  本体に対して扉が着脱可能に設けられているオーブントースタにおいて、手入れが容易で、コスト的にも安価に実施でき、また長期使用に耐え、さらに、製品のアピール度も高い製品を提供する。【解決手段】  本発明のオーブントースタ１は、内部にオーブン庫３が確保されるとともにオーブン庫３前面側に開口部４が形成されてなる本体２を備え、この本体２の開口部４近傍の下縁に当該開口部４を開閉する扉５が回動自在に軸支されており、また、本体２の開口部４横側に本体操作部１０が設けられ、この本体操作部１０に扉５を本体に対して着脱させる扉着脱機構２１が配置されている。【選択図】  図４
2005331115.tif 000002
【特許請求の範囲】
【請求項１】
内部にオーブン庫が確保されるとともにオーブン庫前面側に開口部が形成されてなる本体を備え、この本体の前記開口部近傍の下縁に当該開口部を開閉する扉が回動自在に軸支されているオーブントースタにおいて、
前記本体には、その開口部横側に本体操作部が設けられ、この本体操作部に前記扉を本体に対して着脱させる扉着脱機構が配置されていることを特徴とするオーブントースタ。  
【請求項２】
前記扉着脱機構は、扉の一側面を回転自在に支持する支軸、この支軸を軸方向に沿って出退操作する着脱操作レバー、および前記支軸を扉側に向けて付勢する圧縮スプリングを備えており、前記着脱操作レバーは、前記本体操作部のパネルにスライド可能に取り付けられるとともに前記支軸に一体に連結されており、また、前記圧縮スプリングは、前記支軸の着脱操作レバー取付箇所よりも反扉側に位置する部分に嵌挿されていることを特徴とする請求項１記載のオーブントースタ。
【請求項３】
前記支軸は、本体操作部の前記パネルに形成された左右の軸受用挿通孔に挿通されて支承されていることを特徴とする請求項２に記載のオーブントースタ。
【請求項４】
前記支軸には、着脱操作レバー取付箇所から扉側の先端までの途中にストッパ部が形成されており、扉方向にはこのストッパ部が前記パネルの内壁に当接し、反扉方向には前記着脱操作レバーが前記パネルに当接することにより前記支軸の出退範囲が規制されていることを特徴とする請求項２または請求項３に記載のオーブントースタ。
【請求項５】
前記着脱操作レバーは合成樹脂製のものであり、支軸の前記ストッパ部と着脱操作レバー取付箇所との間は熱影響低減距離として所定長さが確保されていることを特徴とする請求項４に記載のオーブントースタ。
【請求項６】
前記扉のオーブン庫に面する内壁下端部には排水用開口が形成されるとともに、この排水用開口を覆うフード部が設けられていることを特徴とする請求項１ないし請求項５のいずれか１項に記載のオーブントースタ。
【発明の詳細な説明】
【技術分野】
【０００１】
本発明は、オーブントースタに関し、特には、本体のオーブン庫前面側に形成されている開口部を開閉する扉を着脱するための構造に関する。
【背景技術】
【０００２】
従来のオーブントースタには、本体内部にヒータが設けられたオーブン庫が確保されるとともに、オーブン庫前面側に食品等の被調理物の出し入れ用の開口部が形成されるとともに、本体の開口部近傍の下縁には当該開口部を開閉する扉が回動自在に軸支された構成のものがある。
【０００３】
この種のオーブントースタにおいては、被調理物の食品などをオーブン庫に入れて加熱する場合、オーブン庫内に食品屑が落下したり、油が飛散したりして、長く使用すると庫内が次第に汚れてくるので、オーブン庫内を清掃することが必要となる。
【０００４】
この場合、本体に対して扉を自由に取り外すことができれば、食品屑などをオーブン庫内から掃き出す際や、オーブン庫内へ手を差し込んで洗浄する際に扉が邪魔にならず、オーブン庫内部を隅々まできれいに清掃することができて都合が良い。
【０００５】
そのため、従来技術では、扉の両側下端部に支軸を出没自在に設けるとともに、扉のオーブン庫に対向する裏面側に当該両側の支軸を同時に出没させる操作ボタンを設け、また、扉内部には操作ボタンと左右の支軸とを連結するリンク機構を配置する一方、本体の開口部の両側下端部には上記の支軸を挿入する軸受けを設けた構造のオーブントースタが提案されている（例えば、特許文献１参照）。
【０００６】
【特許文献１】特開２００３−２２２３４２号公報
【発明の開示】
【発明が解決しようとする課題】
【０００７】
上記の特許文献１に記載された従来構成のオーブントースタにおいては、扉の裏側に設けられた操作ボタンを押すと、扉両側の支軸が同時に扉内部に引っ込むので、扉を本体から容易に取り外すことができ、オーブン庫内部をきれいに清掃することができる。
【０００８】
しかしながら、この従来構成のものでは、未だ次の課題が残されている。すなわち、
（１）  扉着脱用の操作ボタンは扉の裏面側に露出した状態で設けられているため、被調理物から飛散した油が操作ボタンの表面に付着し易く、扉を本体から取り外すために操作ボタンを操作した際に手を汚してしまうことがある。また、オーブン庫内部を洗浄する際には操作ボタンも同時に洗浄する必要が生じるなど余分な手入れが必要となる。
【０００９】
（２）  押しボタンはオーブン庫内の高温に直接晒されるので、押しボタンの材料として安価な合成樹脂製のものは使用できず、耐熱性のある金属製のものを使用せざるを得ない。このためコスト高になる。
【００１０】
（３）  扉着脱用の操作ボタンや、操作ボタンの操作に応じて左右の支軸と出没させるリンク機構などは全て扉側に設けられているため、扉を取り外して洗浄する際、扉内部に侵入した水によってこれら部品が錆び易い。そのため、これらの機構が錆びて動作しにくくなるおそれがある。
【００１１】
（４）  扉着脱用の操作ボタンは扉の裏面側に配置されているために、使用者は扉を閉じた通常の状態で、本体に対して扉が着脱できることを簡単に気づきにくく、せっかく便利な機構を設けていても、製品のアピール度が低くならざるを得ない。
【００１２】
本発明は、上記の（１）〜（４）に列挙した課題を全て解決し、本体に対して扉が着脱可能に設けられている構成において、手入れが容易で、コスト的にも安価に実施でき、また長期使用に耐え、さらに、製品のアピール度も高いオーブントースタを提供することを目的とする。
【課題を解決するための手段】
【００１３】
上記の目的を達成するために、本発明は、内部にオーブン庫が確保されるとともにオーブン庫前面側に開口部が形成されてなる本体を備え、この本体の前記開口部近傍の下縁に当該開口部を開閉する扉が回動自在に軸支されているオーブントースタにおいて、次の構成を採用している。
【００１４】
すなわち、請求項１記載の発明では、前記本体には、その開口部横側に本体操作部が設けられ、この本体操作部に前記扉を本体に対して着脱させる扉着脱機構が配置されていることを特徴としている。
【００１５】
請求項２記載の発明では、請求項１記載の発明において、前記扉着脱機構は、扉の一側面を回転自在に支持する支軸、この支軸を軸方向に沿って出退操作する着脱操作レバー、および前記支軸を扉側に向けて付勢する圧縮スプリングを備えており、前記着脱操作レバーは、前記本体操作部のパネルにスライド可能に取り付けられるとともに前記支軸に一体に連結されており、また、前記圧縮スプリングは、前記支軸の着脱操作レバー取付箇所よりも反扉側に位置する部分に嵌挿されていることを特徴としている。
【００１６】
請求項３記載の発明では、請求項２に記載の発明において、前記支軸は、本体操作部の前記パネルに形成された左右の軸受用挿通孔に挿通されて支承されていることを特徴としている。
【００１７】
請求項４記載の発明では、請求項２または請求項３に記載の発明において、支軸には着脱操作レバー取付箇所から扉側の先端までの途中にストッパ部が形成されており、扉方向にはこのストッパ部が前記パネルの内壁に当接し、反扉方向には前記着脱操作レバーがパネルに当接することにより支軸の出退範囲が規制されていることを特徴としている。
【００１８】
請求項５記載の発明では、請求項４に記載の発明において、前記着脱操作レバーは合成樹脂製のものであり、支軸の前記ストッパ部と着脱操作レバー取付箇所との間は熱影響低減距離として所定の長さが確保されていることを特徴としている。
【００１９】
請求項６記載の発明では、請求項１ないし請求項５のいずれか１項に記載の発明において、前記扉のオーブン庫に面する内壁下端部には排水用開口が形成されるとともに、この排水用開口を覆うフードが設けられていることを特徴としている。
【発明の効果】
【００２０】
請求項１，２記載の発明によれば、本体の開口部横側の本体操作部に扉着脱機構が配置されるので、扉着脱機構を構成する着脱操作レバーは、被調理物の食品等から飛散した油などによって汚れることがない。したがって、扉を本体から取り外す際に手を汚すことはなく、また、オーブン庫内部を洗浄する際に着脱操作レバーまで洗浄する必要がない。また、着脱操作レバーはオーブン庫内の高温に直接晒されないので、レバーは安価な合成樹脂製のものを使用できる。さらに、本体から扉を取り外して洗浄する際、扉内部に侵入した水によって扉着脱機構の構成部品が錆びることはなく、長期にわたって扉着脱機構を良好に動作させることができる。しかも、着脱操作レバーは本体の開口部横側に設けられたパネルに取り付けられているので、使用者は本体に対して扉が着脱できることを簡単に気づくことができ、製品のアピール度が高くなる。
【００２１】
請求項３記載の発明によれば、支軸は本体操作部のパネルに形成された軸受用挿通孔に挿通されて支承されているので、別途余分な軸受け部品を設ける必要がなく、コストダウンに役立つ。また、パネルと支軸との距離が一定に保たれるので、支軸の取り付け寸法誤差による摺動不良の発生を抑えることができる。
【００２２】
請求項４記載の発明によれば、支軸に設けたストッパ部とパネルに取り付けた着脱操作レバーとによって支軸の出退範囲が確実に規制されるため、本体への扉の着脱操作を容易かつ確実に行うことができる。
【００２３】
請求項５記載の発明によれば、支軸の扉を支持する先端部分から着脱操作レバー取付箇所までは熱影響低減距離だけ離間しているので、オーブン庫内の熱によって着脱操作レバーが過熱されるのが防止され、着脱操作レバーが合成樹脂製のものであっても何ら支障なく長期にわたって安定して使用することができる。
【００２４】
請求項６記載の発明によれば、扉のオーブン庫に面する内壁下端部には排水用開口が形成されているので、製品の見栄えを損なうことなく、扉を洗浄する際に扉内部に侵入した水を速やかに外部に排水することができ、扉内部の発錆を有効に防止することができる。また、排水用開口を覆うフード部が設けられているので、被調理物である食品等をオーブン庫に入れて加熱する際に食品屑や飛散した油が排水用開口内に侵入するのを極力防止することができる。
【発明を実施するための最良の形態】
【００２５】
［実施の形態１］
図１は本発明の実施の形態１におけるオーブントースタにおいて本体から扉を取り外した状態を示す斜視図、図２は同じオーブントースタの正面図、図３は同じオーブントースタにおいて本体の側面パネルを取り外した状態の側面図、図４は同じオーブントースタにおいて本体の側面パネルを取り外して扉着脱機構を拡大して示す斜視図、図５は同扉着脱機構の正面図である。
【００２６】
この実施の形態１のオーブントースタ１は、本体２の内部にオーブン庫３が確保されるとともに、オーブン庫３の前面側に食品等の被調理物の出し入れ用の開口部４が形成されている。そして、本体２の開口部４近傍の下縁には当該開口部４を開閉する扉５が開閉自在に軸支されている。
【００２７】
本体２のオーブン庫３内には上下にヒータ８が設けられ、各ヒータ８の間には被調理物を載置するための金網９が設置されている。さらに、本体２には、開口部４の右横に本体操作部１０が設けられている。この本体操作部１０は、操作パネル１１、仕切りパネル１２、側面パネル１３、および底面パネル１４により囲まれており、操作パネル１１の前面側には、上から下に向けてヒータ８への通電電力切替スイッチ１７、タイマ設定レバー１８、および着脱操作レバー１９が順次配置されている。また、仕切りパネル１２は操作パネル１１の左側に位置してオーブン庫３との間を仕切っており、その中央部分には扉５の開閉に伴う金網９の移動を円滑にするための円弧状に切り欠したガイド１２ａが形成され、また、前方下端部には後述の支軸２４が挿通される貫通孔１２ｂが形成されている。
【００２８】
また、上記の各パネル１１〜１４で囲まれた内側には、通電電力切替スイッチ１７やタイマ設定レバー１８に連動する図示しない電力切替回路やタイマ回路が配置されるとともに、扉５を本体２に対して着脱させる扉着脱機構２１の主要部分が熱影響を受けにくいように底パネル１４に近接した下方位置に配置されている。
【００２９】
この扉着脱機構２１は、扉５の右側面を回転自在に支持する支軸２４、この支軸２４を軸方向に沿って出退操作する前述の着脱操作レバー１９、この着脱操作レバー１９と支軸２４とを一体的に接続する接続金具２５、および支軸２４を扉側のオーブン庫３内に向けて付勢するコイル状の圧縮スプリング２６を備えて構成されている。
【００３０】
着脱操作レバー１９は、合成樹脂製のもので、操作パネル１１の前面側に配置されたレバー部材１９ａと操作パネル１１の後面側に配置された取付部材１９ｂとからなる。そして、レバー部材１９ａは操作パネル１１の左右方向に沿って形成されたスライド用長穴（図示省略）を通して取付部材１９ｂに嵌着されている。また、接続金具２５は、その左右一対の脚部２５ａが支軸２４に一体にカシメ止めされている。そして、この接続金具２５ならびに着脱操作レバー１９を構成する各部材１９ａ，１９ｂはネジ３１で一体的に固定されており、これによって、着脱操作レバー１９は、接続金具２５と共に操作パネル１１の左右方向にスライド可能に取り付けられる。
【００３１】
支軸２４は、操作パネル１１の左右のフランジ１１ａ，１１ｂに形成された各軸受用挿通孔１１ｃ，１１ｄに挿通されて回動自在に支承されている。そして、支軸２４が圧縮スプリング２６により付勢された状態において、その扉側（左側）の先端部分は仕切りパネル１２の前方下端部の貫通孔１２ｂを通ってオーブン庫３側に突出する。
【００３２】
このように、支軸２４は本体操作部１０の操作パネル１１に形成された軸受用挿通孔１１ｃ，１１ｄに挿通されて支承されているので、余分な軸受け部品を別途設ける必要がなく、コストダウンに役立つ。また、操作パネル１１に対する支軸２４の距離が一定に保たれるので、支軸２４の取り付け寸法誤差による摺動不良の発生を抑えることができる。
【００３３】
さらに、支軸２４の着脱操作レバー取付箇所から扉側の先端までの途中はストッパ部２４ａが形成され、このストッパ部２４ａと着脱操作レバー取付箇所との間は熱影響低減距離として所定長さＬが確保されている。さらに、接続金具２５の取付箇所に近接して当該接続金具２５の脚部２５ａの位置決め突起２４ｂが形成されている。また、支軸２４の着脱操作レバー取付箇所よりも反扉側（右側）部分には圧縮スプリング２６が嵌挿されている。したがって、圧縮スプリング２６は、接続金具２５の脚部２５ａと操作パネル１１の右側のフランジ１１ｂによって位置規制されて支軸２４から外れるのが防止される。
【００３４】
このように、支軸２４の左側先端部分は下側のヒータ８から離れた位置にあり、しかも、着脱操作レバー取付箇所は熱影響低減距離Ｌだけ離間しているので、オーブン庫３内の熱によって着脱操作レバー１９が過熱されるのが防止され、着脱操作レバー１９が合成樹脂製のものであっても何ら支障なく長期にわたって安定して使用することができる。
【００３５】
一方、扉５にはガラスを嵌めた窓３２が形成され、また、扉５の外面上部にハンドル３３が取り付けられている。また、オーブン庫３に面する内面の左右にはフック３４が取り付けられ、各フック３４に金網９の前端が係止されている。さらに、扉５の左右の側面の内、右側面の下端部には、支軸２４が挿入される軸挿入孔３５が形成され、また、左側面の下端部には支持軸３６が支軸２４の軸線と一致するように同軸状に取り付けられている。そして、本体２のオーブン庫３内の前方左側下端部には、支持軸３６が挿入される軸挿入孔３７が形成されている。
【００３６】
これにより、扉５の右側下端は支軸２４が軸挿入孔３５に挿入されて回転自在に支持され、また扉５の左側下端は支持軸３６が軸挿入孔３７に挿入されて回転自在に支持されている。そして、扉５を開くと、金網９の係止片がガイド１２ａに沿って移動しつつフック３４によって開口部４から引き出される。
【００３７】
上記構成のオーブントースタ１において、本体２から扉５を取り外すには、扉５を開いて金網９とフック３４との係合を解除する。次に、圧縮スプリング２６の力に抗しながら着脱操作レバー１９を右方向に動かす。これに伴って、着脱操作レバー１９に一体に連結された支軸２４も右方向に移動し、扉５の軸挿入孔３５に突入されている支軸２４の先端部分が後退する。そして、着脱操作レバー１９が操作パネル１１の長穴の右側端に当接した状態になると、支軸２４の左先端は仕切りパネル１２のオーブン庫３側の表面と略面一となる位置まで後退する。このため、扉５の右側下端は支軸２４によって支持されなくなって本体２から外れる。次に、扉５を若干傾けるなどして扉５の左側の支持軸３６を本体２の軸挿入孔３７から外す。これにより、図１に示すように扉５が本体２から取り外される。
【００３８】
一方、本体２に扉５を取り付けるには、扉５の左側の支持軸３６を本体２の軸挿入孔３７に挿入した後、扉５の軸挿入孔３５と仕切りパネル１２の貫通孔１２ｂとが対向するように位置させた後、着脱操作レバー１９に加えていた力を除く。すると、支軸２４は圧縮スプリング２６の付勢力によって左方向に移動するので、支軸２４の左先端が扉５の軸挿入孔３５内に突入して扉５が回動自在に支持される。このとき、支軸２４のストッパ部２４ａが操作パネル１１の左側のフランジ１１ａ内面に当接するので、支軸２４がそれ以上扉５側に進出するのが規制される。
【００３９】
このように、支軸２４は、扉方向（左方向）についてはストッパ部２４ａが操作パネル１１のフランジ１１ａ内壁に当接し、反扉方向（右方向）には着脱操作レバー１９が操作パネル１１の長穴の右端に当接することにより、それぞれ支軸２４の出退範囲が規制されるので、本体２への扉５の着脱操作を容易かつ確実に行うことができる。
【００４０】
また、この実施の形態１のオーブントースタ１では、扉着脱機構２１が本体２の開口部右横の本体操作部１０に配置されるので、扉着脱機構２１を構成する着脱操作レバー１９は、食品等の被調理物から飛散した油などによって汚れることがない。このため、扉５を本体２から取り外す際に手を汚すことはなく、また、オーブン庫３内部を洗浄する際に着脱操作レバー１９まで洗浄する必要がない。
【００４１】
また、着脱操作レバー１９はオーブン庫３内の高温に直接晒されないので、レバー１９は安価な合成樹脂製のものを使用できる。さらに、本体２から扉５を取り外して洗浄する際、扉５の内部に侵入した水によって扉着脱機構２１の構成部品が錆びるといったことはなく、長期にわたって扉着脱機構２１を良好に動作させることができる。しかも、着脱操作レバー１９は操作パネル１１に取り付けられているので、使用者は本体２に対して扉５が着脱できることを簡単に気づくことができ、しかも、上記のように着脱操作レバー１９は合成樹脂製なので形状や色を任意に選択できるのでデザイン性が向上し、製品のアピール度が高くなる。
【００４２】
［実施の形態２］
図６は本発明の実施の形態２おけるオーブントースタの扉を示す斜視図、図７は図６のＢ−Ｂ線に沿う断面図であり、図１ないし図５に示した実施の形態１と対応する構成部分には同一の符号を付す。
【００４３】
この実施の形態２におけるオーブントースタの特徴は、本体２から扉５を取り外して丸洗いができるように、扉５はステンレス板を曲げ加工や溶接加工により成形されており、このため扉５の内部は空隙になっている。そして、扉５のオーブン庫３に面する内壁下端部の左右２箇所には内部の空隙に通じる排水用開口４０が形成されるとともに、各排水用開口４０を覆ってフード部４１が形成されている。
【００４４】
その他の構成は実施の形態１と同様であるから、実施の形態１と対応する構成部分には同一の符号を付して詳細な説明は省略する。
【００４５】
このように、この実施の形態２のオーブントースタは、扉５の内壁下端部に排水用開口４０が形成されているので、製品の見栄えを損なうことなく、扉５を洗浄する際に内部の空隙に侵入した水を速やかに外部に排水することができ、扉５内部の発錆を有効に防止することができる。また、排水用開口４０を覆ってフード部４１が設けられているので、被調理物としての食品などをオーブン庫３に入れて加熱する際に食品屑や飛散した油が排水用開口４０内に侵入するのを有効に防止することができる。
【００４６】
なお、この実施の形態２の扉５の構成は、実施の形態１の本体２側の構成と組み合わせて使用するのが一層好ましいが、扉５の裏側に設けられた操作ボタンを押すと扉両側の支軸が同時に扉内部に引っ込む従来構成のオーブントースタに対しても適用可能である。
【図面の簡単な説明】
【００４７】
【図１】本発明の実施の形態１におけるオーブントースタにおいて、本体から扉を取り外した状態を示す斜視図である。
【図２】同じオーブントースタの正面図である。
【図３】同じオーブントースタにおいて、本体の側面パネルを取り外した状態の側面図である。
【図４】同じオーブントースタにおいて、本体の側面パネルを取り外して扉着脱機構を拡大して示す斜視図である。
【図５】同扉着脱機構の正面図である。
【図６】本発明の実施の形態２おけるオーブントースタの扉を示す斜視図である。
【図７】図６のＢ−Ｂ線に沿う断面図である。
【符号の説明】
【００４８】
１    オーブントースタ
２    本体
３    オーブン庫
４    開口部
５    扉
１０    本体操作部
１１    操作パネル
１１ｃ，１１ｄ    軸受用挿通孔
１９    着脱操作レバー
２１    扉着脱機構
２４    支軸
２４ａ  ストッパ部
２６    圧縮スプリング
４０    排水用開口
４１    フード部
【図１】
2005331115.tif 000003
【図２】
2005331115.tif 000004
【図３】
2005331115.tif 000005
【図４】
2005331115.tif 000006
【図５】
2005331115.tif 000007
【図６】
2005331115.tif 000008
【図７】
2005331115.tif 000009